(57)【要約】【課題】  入浴時、温水、冷水、が噴出するだけのシャワーであったのが噴出口を少しふくらませ、その上部に中央に穴の開いた半円形の小型の凸部を数ケ所とりつけ同時に噴出する、シャワーである。シャワーボディは波状で少し長くする。水栓をふやし幼児、子供の持つ事の出来る小型シャワーもつくる。【解決手段】  シャワーの頭部を変えた事とボディを波状に持ちやすく背中の洗浄が出来るよう少し長く、少し角度を変えたものである。  急な入浴洗浄、高齢者、身障者の入浴、介護にも労力軽減になる。小型のシャワーにより、幼児、子供が楽にシャワーが持てるようになった。入浴指導が出来るようになった。【選択図】    図２
0003121593.tif 000002
【実用新案登録請求の範囲】
【請求項１】
浴室用シャワー頭部の変形で、温水、冷水、の噴出するシャワー口の部分（１）を少し円形にふくらませ、その（２）上部に半円形で中心に噴出、出口の穴のあいた小型の凸部を数ヶ所とりつける。水栓をあけると（１）と（２）が同時にシャワー状態になり、温水。冷水が噴出するものである
【請求項２】
シャワー頭部とシャワーのホース取付け口との間のシャワーボディを少し長くして、波状にする。
【請求項３】
シャワー頭部裏側にＵ字型のひものひっかけ止めを数ケつくる
【請求項４】
水栓口をふやし一般用と子供用の小型のシャワーもつくる
【考案の詳細な説明】
【考案の詳細な説明】
【発明に属する技術分野】
【０００１】  本考案はシャワー、の噴出口の部分を（１）少し円形にふくらませ、その（２）上部に半円形で噴出、出口の穴のあいた小型の凸部を数ケ所とりつける。水栓をあけると（１）と（２）が同時に、温水、冷水が噴出するものである。
【０００２】  シャワー頭部とホース取付口との間のボディを波状に持ちやすくする。波状の手の持つ所で、温水、冷水、水流の大、小、停止、開始の操作をする。
【０００３】  シャワー口の上にとりはずしの出来る洗浄用パットを取り替え出来る様にシャワー頭部裏側にＵ字型のひものひっかけ止めを数ケ所つくる。
【０００４】  洗浄用パットは使用用途に合わして、スポンヂ状、ヘチマ状、やわらかいナイロンブラシ状など、いろいろつくる。
【０００５】  水栓口をふやす、小型の幼児、子供用シャワーをつくる
【背景技術】
【０００６】  一般に使用されている浴室用シャワーは、温水、冷水が頭部平面の子穴から噴出しているだけである。【０００７】  シャワーのボディに石けんがつくとすべりやすい。【０００８】  シャワーの形態は円筒形か長方形で頭部が少しカーブしているだけである。【０００９】  小型の幼児、子供の持てる状態のシャワーがない。
【考案が解決しようとする課題】
【００１０】  従来浴室用シャワーは、温水、冷水が噴出することにより洗浄用タオル等で体を洗い、又頭髪を洗うだけであった、急ぐ時はシャワーのみで別に洗浄用タオルなどで体を洗う時間のない時がある。シャワーのみで体を洗わない時が多い。
【００１１】  高齢者や身障者、片手にケガをした人などはシャワーボディが波状で長く持ちやすく、頭部に洗浄用パットをとりつけて一人で体を洗うことが出来る
【００１２】  お風呂嫌いの幼児、子供などにハミガキを教えるのと同じように子供の小型シャワーにより幼児入浴法を教えていく。
【考案の効果】
【００１３】    このようにすることによりシャワー本体は波状で少し長く、すべらず持ちやすくなった。
【００１４】    シャワーボディを波状で少し長くした為と、シャワー頭部の凸面の上に洗浄用パットをつける為、パットが二重に洗浄効力を増す。
頭部、裏側のひも付、Ｕ字型に別にひもをつける事により、片手はひもを持ち片手はシャワーボディを持って背中を左右上下こすり、動かすことにより背中のとどきにくいところが自由自在に洗える。
【００１５】    噴出口の上に小型円形凸部を数ケつけた為、入浴しながら、たたきマッサージが出来る。又凸部により頭部を洗うことが出来る。
【００１６】  水栓をふやし一般用シャワーと幼児、子供用の小型シャワーをふやした為、シャワーにはキャラクター、などの絵をかいたり、シャワー本体の型を子供の好む形に変える事により、風呂嫌いの幼児、子供が進んで入浴する。今までにない商品効果を得る事が出来る。
【考案を実施するための最良の形態】
【００１７】    入浴用シャワーの頭部とボディの変型
（イ）噴出口の頭部を少しふくらませ、その上に、中心に穴の開いた小型の半円形の小型凸部を数ケ所とりつける。同時に頭部から噴出するものである。
（ロ）シャワー、ボディは、波状で現在使用されているものより少し長い。
（ハ）手でボディを持って背中が洗える様、噴出口側を少しカーブする。
（ニ）頭部裏側にＵ字型のひっかけ止めをつくる。
（ホ）幼児、子供用の小型のシャワーをつくる。
【図面の簡単な説明】
【００１８】
【図１】シャワーボディとホース接続までの正面図である。
【図２】シャワーボディとホース接続までの側面図である。
【符号の説明】
【００１９】１    シャワー、ボディ
２    頭部の噴出口をふくらます
３    半円形の小型凸部
４    噴出口
５    シャワーの持つ手が波状
６    シャワーとホースの接続口
７    ホース
８    Ｕ字型
【図１】
0003121593.tif 000003
【図２】
0003121593.tif 000004
【手続補正書】
【提出日】平成17年8月30日(2005.8.30)
【手続補正１】
【補正対象書類名】明細書
【補正対象項目名】全文
【補正方法】変更
【補正の内容】
【考案の詳細な説明】
【技術分野】
【０００１】  本考案は浴室用シャワーボデーの変形で、シャワーボデーの上面を少し緩やかな円形にふくらませた楕円形部分に噴出口を設置し、その噴出口位置とは別に交わらないよう、上部に半円形態にて中心に別に噴出口の穴のあいた小型の凸部を適宜配分し数ヶ所とりつけたものであり、また、シャワーとホースの接続口の水栓を開けると、シャワーボデーの上面のすべての噴出口から同時に、温水、または冷水が噴出するものである。【０００２】  シャワー頭部とホース取付口との間のボデーを波状に持ちやすくし、波状の手の持つ所で、温水、冷水、水流の大、小、停止、開始の操作をするものである。【０００３】浴室からシャワーを取り外し、洗浄用パットを簡単に誰でも取り替え出来る様にシャワー頭部裏側にＵ字型のひっかけ止めを数ヶ所つくったものでもある。【０００４】  洗浄用パットは使用用途に合わして、スポンジ状、ヘチマ状、やわらかいナイロンブラシ状など、いろいろな形態をもつくれることは勿論である。【０００５】  また、水栓口をふやし、小型化した幼児、子供用のシャワーもつくれる。
【背景技術】
【０００６】従来の浴室用シャワーとして、一般に使用されている洗浄用シャワーは、温水、冷水が頭部平面の子穴から噴出している構造が殆どである。【０００７】また、シャワーのボデイに石けんがつくとすべりやすい。【０００８】しかも、従来のシャワーの形態は円筒形か長方形で頭部が少しカーブしているだけである。【０００９】しかも、小型の幼児、子供の持てる状態のシャワーもない。
【考案の開示】
【考案が解決しようとする課題】
【００１０】  従来浴室用シャワーは、構造が簡単で、温水、冷水が噴出することにより洗浄用タオル等で体を洗い、又頭部を洗うだけであった。急ぐ時はシャワーのみで別に洗浄用タオルなどで体を洗う時間のない時があり、シャワーのみで体を洗わない時が多い。
【考案が解決するための手段】
【００１１】本考案は、高齢者や身障者、片手にケガをした人などにはシャワーボデイ１が波状で長く、手で持ちやすく、頭部に洗浄用パットをとりつけて一人で洗うことが出来る手段を設けたものである。
【００１２】本考案は、またお風呂嫌いの幼児、子供などにハミガキを教えるのと同じように、子供の小型シャワーにより幼児入浴法を教えていく教育効果をも与えることができる手段を設けたものである。
【考案の効果】
【００１３】本考案は、このようにすることによりシャワー本体は波状で少し長く、すべらず持ちやすくなった。
【００１４】また、シャワーボデイを波状で少し長くした為と、シャワー頭部の凸面の上に２種類の洗浄パットをつける為に、パットが二重に洗浄効力を増すことが出来、しかも、頭部、裏側のひも付き、Ｕ字型に別にひもをつける事により、片手はひもを持ち片手はシャワーボデイを持って背中を左右上下こすり、動かすことにより背中のとどきにくいところが自由自在に洗える効果を与えた。
【００１５】しかも、噴出口に更に小型円形凸部を数ヶつけた為、入浴しながら、たたきマッサージができ、又凸部により頭部を洗うことが出来る効果を得ることができた。
【００１６】本考案は、水栓をふやし一般用シャワーと幼児、子供用の小型シャワーを考案した為、シャワーにはキャラクター、などの絵をかいたり、シャワー本体の型を子供の好む形に変える事により、風呂嫌いの幼児、子供が進んで入浴する、かって今までにない商品効果を得る事が出来た。
【考案を実施する為の最良の形態】
【００１７】本考案を実施する為の最良の形態として、入浴用シャワーの頭部とボデイの変形を下記に示す。
（イ）頭部２を少しふくらませ噴出口４ａ、４ｂを形成し、更に、中心に穴の開いた小型の半円形の小型凸部３を数ヶ所とりつける。即ち、この少しふくらませた場所２と、更に半円形の小型凸部の場所３の形成から、同時に形成された場所２と場所３の頭部から噴出させる噴出口機能を形成させたものである。
（ロ）しかも、シャワーボデイ１は、通常使用されているものより少し長く形成され、手で握るところは波状５にて形成されている。
（ハ）また、手でボデイ５を持って背中が洗える様、図２に示すように噴出口４ａ、４ｂ側を少しカーブさせている。
（ニ）シャワーボデイ１を壁に吊り下げて噴出させたり、片手で紐を持ち、他の片手はシャワーボデイ１を持って背中を左右に擦らせたりもするため、頭部先端にＵ字型の引っかけ止め８を形成させる。
（ホ）幼児、子供用が楽しんで使えるよう小型のシャワーをつくる。
【実施例】
【００１８】本考案の効果的なシャワーボデイ１の実施形態を、上から見て先端が円形にカーブしてない型図（Ａ）と、先端が円形にカーブしている型図（Ｂ）として図１、図２に示す。【００１９】本考案の実施形態は（Ａ）図、（Ｂ）図に示すように、噴出口４ａ、４ｂは頭部ボデイ１のふくらんだ２の表面部分にそれぞれの２種類の形態にて形成され、その裏面部分の１には噴出口４ａ、４ｂは形成されない。【００２０】しかも、そのシャワーボデイ１の裏面部分はほぼ直面にて形成され、水噴出は無い。
【図面の簡単な説明】
【００２１】
【図１】Ａ型、Ｂ型のシャワーボデイとホース接続付近までの表面図である。
【図２】Ａ型、Ｂ型のシャワーボデイとホース接続付近までの側面図である。
【符号の説明】
【００２２】１：シャワーボデイ
２：頭部ふくらみ
３：  半円形の小型凸部
４ａ、４ｂ：  噴出口
５：手持ち波形状
６：  シャワーボデイとホースの接続口
７：  ホース
８：Ｕ字型紐引っかけ
【手続補正２】
【補正対象書類名】図面
【補正対象項目名】全図
【補正方法】変更
【補正の内容】
【図１】
0003121593.tif 000005
【図２】
0003121593.tif 000006
【手続補正書】
【提出日】平成17年12月20日(2005.12.20)
【手続補正１】
【補正対象書類名】実用新案登録請求の範囲
【補正対象項目名】全文
【補正方法】変更
【補正の内容】
【実用新案登録請求の範囲】
【請求項１】
入浴時又はプール、海水浴場にて使用されているシャワーで、シャワー噴出口のある頭部とシャワーのホース接続口との間の手持ち部分を１５ｃｍ〜２０ｃｍの手持ち波形状にて形成させ、シャワーボデー頭部裏面部は平面で噴出口は無く、シャワーボデー頭部表面部は複数の小穴の開いたふくらみを造り、前記ふくらみの上に中心に噴出口のある小型半円形凸部を配分して乗せ、水栓を開けると同時に噴射する、洗浄用シャワー。
【手続補正２】
【補正対象書類名】明細書
【補正対象項目名】０００３
【補正方法】変更
【補正の内容】
【０００３】  本考案は特にシャワーボデー頭部表面部を複数の小穴の開いたふくらみをつくり、前記ふくらみの上に中心に噴出口のある小型半円形凸部を配分して乗せ、水栓を開けると同時に噴射する仕組になり、又、シャワー頭部と水栓口との間のボデーを手持ち波型状にしたものである。
【手続補正３】
【補正対象書類名】明細書
【補正対象項目名】０００４
【補正方法】変更
【補正の内容】
【０００４】  シャワー頭部表面部の２形態を活用させ周囲や形を利用して、花、動物、キャラクターなど好まれる形態に出来る事は勿論である。
【手続補正４】
【補正対象書類名】明細書
【補正対象項目名】００１１
【補正方法】変更
【補正の内容】
【００１１】  本考案は高齢者や身障者、片手の不自由な人などにはシャワーボデーのが波状で長い為、一人で洗う事が出来、又、肩たたき、押さえもみ、なども一人でゆっくり楽しめる手段を設けたものである。
【手続補正５】
【補正対象書類名】明細書
【補正対象項目名】００１４
【補正方法】変更
【補正の内容】
【００１４】  シャワーがまだ適部にとどかない人の為に波型状ボデーの上下にホース接続口と同じネジをつけて、手のとどかない適部までとどく波型状ボデーの延長をを別に造る事により背丈の長い人も、老人、子供のような背丈の短い人も附属品のとりはづしも出来る事により自由自在に一人で洗う事の出来る効果を与えた。
【手続補正６】
【補正対象書類名】明細書
【補正対象項目名】００１７
【補正方法】変更
【補正の内容】
【００１７】  本考案を実施する為の最良の形態として入浴時又はプール海水浴場などに使用されているシャワーで、シャワーの表面部とボデーの変形であるので下記に示す。
（イ）  シャワー頭部表面部をふくらませ複数の小穴を開け噴出口をつくる、前記ふくらの中心に頭部に小穴の開いた噴出口のある小型半円型凸部を配分して同時に噴射可能なシャワーを形成さたものある。
（ロ）  シャワーボデーは通常使用されているものより少し長く形成され、手の握るところは持ち安い様波状に形成されている。
（ハ）  背丈の長い人はこのシャワーにより背中かゆい適部にとどかない人は、形状の付属品をつなぐ事により長くなり一人で洗う事の出来る付属品が形成されている。
（ホ）  シャワーを二栓にして親子シャワーをつくる。
【手続補正７】
【補正対象書類名】明細書
【補正対象項目名】００２１
【補正方法】変更
【補正の内容】
【００２１】
【図１】  Ａ型、Ｂ型のシャワーボデーの全体平面図である。
【図２】  Ａ型、Ｂ型のシャワーボデーの全体側面図である。
【図３】  花模様形式のシャワーボデーの平面図である。
【図４】  花模様形式のシャワーボデーの水平式側面図である。
【図５】  花模様形式のシャワーボデーの傾斜式側面図である。
【手続補正８】
【補正対象書類名】明細書
【補正対象項目名】００２２
【補正方法】変更
【補正の内容】
【００２２】  １：  シャワーボデイ
２：  頭部ふくらみ
３：  半円型の小型凸部
４、４ａ、４ｂ：  噴出口
５：  手持ち波形状
６：  シャワーボデイとホースの接続口
７：  ホース
８：  裏面部
９：  花飾り板
【手続補正８】
【補正対象書類名】図面
【補正対象項目名】全図
【補正の内容】
【図１】
0003121593.tif 000007
【図２】
0003121593.tif 000008
【図３】
0003121593.tif 000009
【図４】
0003121593.tif 000010
【図５】
0003121593.tif 000011